(57)【要約】【課題】  屋外子機以外から屋外子機を経由して室内親機との間で通信を可能にするドアホンシステムを提供する。【解決手段】  本ドアホンシステムは、室内親機５と、室内親機５と通信が可能な屋外子機１ａとを備え、屋外子機１ａに第１無線送受信部を設け、第１無線送受信部との間で送受信可能な第２無線送受信部を内蔵し屋外子機１ａを介して室内親機５と呼び出し可能なワイヤレス子機８を保有している。したがって、例えば、帰宅者が例えば、玄関外側に設置される屋外子機１ａ本体に到達する前に、ワイヤレス子機８から室内親機５を呼び出すことが可能となる。テレビドアホンシステムの場合、ワイヤレス子機８にカメラを備えれば、室内親機５側では、映像でも通話者等を確認することができる。【選択図】      図１
2006115187.tif 000002
【特許請求の範囲】
【請求項１】
室内親機と、前記室内親機と通信が可能な屋外子機とを備え、前記屋外子機には第１無線送受信部を設け、前記第１無線送受信部との間で送受信可能な第２無線送受信部を内蔵し前記屋外子機を介して前記室内親機と呼び出し可能なワイヤレス子機を保有していることを特徴とするドアホンシステム。
【請求項２】
前記ワイヤレス子機は、前記屋外子機の前記第１無線送受信部を経由して前記室内親機との間で少なくとも双方向通話可能であることを特徴とする請求項１に記載のドアホンシステム。
【請求項３】
前記ワイヤレス子機にＩＤコードを設定し、前記屋外子機に、前記ワイヤレス子機から送信されてきた前記ＩＤコードを照合する照合手段を設けたことを特徴とする請求項１又は２に記載のドアホンシステム。
【請求項４】
前記ワイヤレス子機に、呼び出し・通話を開始するための呼び出しボタンと、各構成回路に電源を供給する電池電源とを設け、前記呼び出しボタンを押した後、再度前記呼び出しボタンを押すことにより前記電池電源の供給を停止させることを特徴とする請求項１から３のいずれか１項に記載のドアホンシステム。
【請求項５】
前記ワイヤレス子機は、前記室内親機を定期的に呼び出す自動通信モードを備えることを特徴とする請求項４に記載のドアホンシステム。
【請求項６】
前記ワイヤレス子機と前記室内親機との間の通信が終了したとき、前記ワイヤレス子機は前記自動通信モードを終了することを特徴とする請求項５に記載のドアホンシステム。
【請求項７】
前記ドアホンシステムは、少なくとも前記屋外子機がカメラを備え、前記カメラが撮影した映像信号を前記室内親機へ片方向通信可能としたテレビドアホンシステムであることを特徴とする請求項１から６のいずれか１項に記載のドアホンシステム。
【請求項８】
前記ワイヤレス子機は前記カメラを備え、前記カメラが撮影した映像を前記屋外子機に通信可能であることを特徴とする請求項７に記載のドアホンシステム。
【発明の詳細な説明】
【技術分野】
【０００１】
この発明は、室内親機と屋外子機とを備えたドアホンシステムに関する。
【背景技術】
【０００２】
従来のドアホン、特に有線式テレビドアホンシステムは、一般的に、室内親機と屋外子機との間において、映像片方向・音声双方向通信を行うように構成されている。図４は、従来のテレビドアホンシステムの構成の一例を示す概略図である。図４において、来訪者や帰宅者が屋外子機１ｂの呼び出しボタン２を押すと、一対のインターホン線４を経由して、室内親機５に呼び出し信号が伝送される。室内親機５が呼び出し信号を受信すると、屋外子機１ｂに動作電源供給が行われ、屋外子機１ｂからの映像信号が室内親機５の液晶表示器のようなＬＣＤ表示画面６に映り、家人が来訪者等を映像にて確認することができる。家人が室内親機５内の応答ボタン７を押すと、屋外子機１ｂと室内親機５との間にて双方向音声信号伝送が可能となる。
【０００３】
図５は、従来の屋外子機１ｂのブロック図である。図５において、呼び出しボタン２が押されると、多重化回路部１８を経由して、室内親機５に屋外子機１ｂから呼び出しがあったことが伝えられる。屋外子機１ｂ内のマイク１３が集音して出力する音声信号は、マイクアンプ１４で増幅され、音声通話制御回路部１７を通じ且つ多重化回路部１８を経て室内親機５に送信される。多重化回路部１８を経由して送信される室内親機５からの音声信号は、音声通話制御回路部１７を通じて、屋外子機１ｂ内のスピーカアンプ１６で増幅され、スピーカ１５に供給される。また、屋外子機１ｂの撮像部１０が撮影した映像信号は、カメラ信号処理部１１、映像変調部１２及び多重化回路部１８を経て室内親機５に送信される。なお、多重化回路１８等の各回路には、電源部１９から電力が供給される。
【０００４】
室内側機器としては、親機とは別に複数台の副親機を存在させることができ、室内副親機と屋外子機間においても、室内親機を介して映像片方向・音声双方向通信ができるシステムが提案されている（特許文献１参照）。
【０００５】
一方、屋外子機としては、玄関と勝手口等に分けて複数台の子機を設置できるシステムが提案されている（特許文献２参照）。しかしながら、これらの親子機器間の通信形態はいずれも有線式であり、屋外子機本体の呼び出しボタンを押さないと室内親機を呼び出すことはできないシステムであり、これら屋外子機からの呼び出しがあって始めて来客者応答ができる。
【特許文献１】特開平２−２０２２８８号公報（第３頁下左欄第２０行〜第４頁上左欄第６行、第１図）
【特許文献２】特開平４−８６１９１号公報（第４頁下左欄第１１行〜第５頁上右欄第２行、第１図）
【発明の開示】
【発明が解決しようとする課題】
【０００６】
現在、玄関ドア等に設けられる有線方式の屋外子機以外の屋外子機から室内親機を呼び出すシステムは存在していない。ドアホンシステムは、通常、屋外子機から呼び出しをした場合、家人が室内親機のそばにいなければ、屋外子機に応答が到達するまでにかなりの時間が経過する場合があり、まして家人が玄関先の施錠を解除するまでには更に時間がかかる。例えば、同居家族が帰宅した時や体の調子が悪いとき、或いは家族又は来訪者の手荷物が多いとき、雨が降っているとき等は、玄関先で長時間待たされないシステムが求められている。
【０００７】
この発明の目的は、こうした問題を解決するため、家の近くにいる場合などに、室内親機にアクセス可能であり家人との間での通信手段として利用可能なドアホンシステムを提供することである。
【課題を解決するための手段】
【０００８】
この発明によるドアホンシステムは、室内親機と、この室内親機と通信が可能な屋外子機とを備え、屋外子機に第１無線送受信部を設け、第１無線送受信部との間で送受信可能な第２無線送受信部を内蔵し屋外子機を介して室内親機と呼び出し可能なワイヤレス子機を保有したことを特徴としている。
【０００９】
このドアホンシステムによれば、無線送受信部を有するワイヤレス子機を保有しており、屋外子機にもワイヤレス子機と無線通信できる無線送受信部を設けているので、両機器間で無線通信が可能となる。したがって、例えば、帰宅者が玄関外側に設置される屋外子機本体に到達する前に、屋外子機以外から室内親機を呼び出すことが可能となる。
【００１０】
このドアホンシステムにおいて、ワイヤレス子機は、屋外子機の第１無線送受信部を経由して室内親機との間で少なくとも双方向通話可能とすることが好ましい。こうした通話を実現するために、ワイヤレス子機内にもマイクとスピーカを設ければよく、従来の屋外子機同様に、室内親機との音声双方向通話が可能となる。
【００１１】
このドアホンシステムにおいては、ワイヤレス子機にはＩＤコードを設定し、屋外子機には、ワイヤレス子機から送信されてきたＩＤコードを照合する照合手段を設けることができる。屋外子機は、従来の屋外子機に新たに無線送受信部とＣＰＵを設けたものとすることが好ましい。無線送受信部は、ワイヤレス子機からの無線搬送波を受信したことをＣＰＵに伝え、ＣＰＵにはＩＤコードを照合する照合機能を持たせることができる。ＣＰＵは受信したＩＤコードを解読し、照合手段によって予め設定されたＩＤコードと照合し、両ＩＤコードが一致したときのみワイヤレス子機からの呼び出しを有効とし、室内親機に呼び出し通知する。これにより、室内親機とワイヤレス子機間の双方向音声通話が、屋外子機を経由して実現する。一方ワイヤレス子機は、呼び出しボタンが押された時、無線送受信部より無線搬送波とＩＤコードを屋外子機に送信し、屋外子機が室内親機との接続を完了することにより、室内親機との音声双方向通話が開始できる。
【００１２】
室内親機と、ワイヤレス子機との双方向音声通話を実現させるために、屋外子機及びワイヤレス子機内にそれぞれ音声変復調部を設けることができる。屋外子機及びワイヤレス子機内の無線送受信部を経由して送受される音声信号搬送波は、それぞれ変調及び復調を行い、それぞれの音声通話制御回路部に供し、従来の双方向音声通話の方式に戻される。即ち、室内親機とワイヤレス子機間の音声通話は、屋外子機内の音声通話制御回路部を経由して実現される。
【００１３】
上記各ドアホンシステムにおいて、ワイヤレス子機には、呼び出し・通話を開始するための呼び出しボタンと、各構成回路に電源を供給する電池電源とを設け、呼び出しボタンを押した後、再度、呼び出しボタンを押すことにより電池電源の供給を停止させることができる。屋外子機の電源供給は、通常待機状態においても、無線送受信部とＣＰＵには最低限の電源供給をしておく。一方、ワイヤレス子機の電源供給方式は電池電源とし、呼び出しボタンを押すことで通話状態になり、通話が終了したときに再度呼び出しボタンを押すことにより、電源供給が停止され、節電を行なわせることができる。
【００１４】
このドアホンシステムにおいて、ワイヤレス子機は、室内親機を定期的に呼び出す自動通信モードを備えることができる。両手が荷物や傘で塞がっている場合に、呼び出し・通話を開始するための呼び出しボタン操作ができない場合がある。ワイヤレス子機を自動通信モードに設定すれば、室内親機を定期的に呼び出すことができ、通話可能範囲に入れば室内親機を呼び出して通話を行うことができる。
【００１５】
ワイヤレス子機が自動通信モードを備えているドアホンシステムにおいて、ワイヤレス子機と室内親機との間の通信が終了したとき、ワイヤレス子機は自動通信モードを終了することが好ましい。ワイヤレス子機が自動通信モードから室内親機との間の通信状態に入り、その通話が終了したときには、通常、自動通信モードで再度通話が必要であることは稀であるので、ワイヤレス子機は自動通信モードを終了すると設定することができる。
【００１６】
このドアホンシステムは、少なくとも屋外子機がカメラを備え、カメラが撮影した映像信号を室内親機へ片方向通信可能としたテレビドアホンシステムとすることができる。テレビドアホンシステムにおいても、ワイヤレス子機を保有して、無線通信にて室内親機と音声通話が可能である。この場合、室内親機のディスプレイ上にはワイヤレス子機からの音声通話状態であることを表示してもよい。
【００１７】
テレビドアホンシステムとしたドアホンシステムにおいて、ワイヤレス子機はカメラを備え、カメラが撮影した映像を屋外子機に通信可能とすることができる。ワイヤレス子機にカメラ部を設けると、双方向の音声通信に加えて、ワイヤレス子機が撮影した画像を室内親機で見ることができる。
【発明の効果】
【００１８】
このように、ドアホンシステムにおいて、内部に屋外子機と無線通信する無線送受信部を内蔵させたワイヤレス子機を保有し、屋外子機内にもワイヤレス子機と無線通信する無線送受信部を内蔵させ、両機間を無線通信することにより、屋外子機の呼び出しボタンを押さなくても、室内親機を呼び出すことができる。
【発明を実施するための最良の形態】
【００１９】
図１は、本発明によるドアホンシステムの構成の一例を示す概略図である。本ドアホンシステムは、テレビドアホンシステムとして適用されている。図１において、ワイヤレス子機８の呼び出しボタン９が押されると、ワイヤレス子機８のアンテナ部３５から屋外子機１ａのアンテナ部３４に対して無線搬送波が送信され、屋外子機１ａにワイヤレス子機８の呼び出しボタン９が押されたことが知らされる。
【００２０】
図２は、図１に示すテレビドアホンシステムの屋外子機１ａのブロック図である。図１において、屋外子機１ａの呼び出しボタン２が押されたときには、図２の回路のうち図５の回路と同一回路部分が、図５に示す従来のテレビドアホンシステムと全く同様の動作を行うので、この動作については再度の詳細説明を省略する。
【００２１】
屋外子機１ａへの送信には、ワイヤレス子機８について予め設定（登録）されているＩＤコードが含まれる。屋外子機１ａにおいてはワイヤレス子機８からの無線搬送波を受信し、無線送受信部２３は、ワイヤレス子機８から無線搬送波が伝送されてきたことをＣＰＵ２１に知らせると共に、重畳して送信されてきたワイヤレス子機８からのＩＤコードをＣＰＵ２１に知らせる。
【００２２】
屋外子機１ａ内では、ＣＰＵ２１は、ワイヤレス子機８からのＩＤコードが、予め屋外子機１ａ内のＩＤコード設定部２０にて設定し登録されているワイヤレス子機８のＩＤコードと一致するか否かを照合する。両ＩＤコードが一致すれば、ＣＰＵ２１は多重化回路部１８を経由して室内親機５に呼び出し信号を送信し、室内親機５は屋外子機１ａに対して動作電源供給を行う。その結果、屋外子機１ａを経由して室内親機５とワイヤレス子機８との間が双方向通話状態となる。なお、ワイヤレス子機８が複数台存在する場合には、各ワイヤレス子機８にはそのワイヤレス子機８に対応したＩＤコードを設定できるようにし、屋外子機１ａのＩＤコード設定部２０には各ワイヤレス子機８のＩＤコードをそれぞれ登録しておくことができる。ＣＰＵ２１はワイヤレス子機８からのＩＤコードを、予めＩＤコード設定部２０に設定していたＩＤコードと照合を行うようにすれば、不特定なワイヤレス子機からの呼び出しには応答しないようにして、セキュリティ機能を持たせることができる。
【００２３】
室内親機５とワイヤレス子機８との間が双方向通話状態になったときは、ワイヤレス子機８からの音声信号（詳細は後述する）は、屋外子機１ａのアンテナ部３４で捕捉されて無線送受信部２３で受信される。この音声信号は、音声変復調部２２にて復調され、音声通話制御回路部１７に供給され、屋外子機１ａ内のマイクアンプ１４からの音声信号に代わって切り替えられた後、室内親機５に送信される。また、室内親機５からの音声信号は、音声通話制御回路部１７を経るが、屋外子機１ａ内のスピーカアンプ１６へは供給されず、音声変復調部２２に供給される。室内親機５からの音声信号は音声変復調部２２で変調され、無線送受信部２３及び屋外子機内アンテナ部３４を経て、ワイヤレス子機８へ供給される。
【００２４】
図３は、図１に示すテレビドアホンシステムのワイヤレス子機８のブロック図である。ワイヤレス子機８の呼び出しボタン９が押されると、ワイヤレス子機８内のＣＰＵ２４はこれを検知し、無線送受信部３２及びワイヤレス子機８内のアンテナ部３５を経て、無線搬送波及びＩＤコードを重畳伝送する。ワイヤレス子機８からの送信信号は、前述のとおり屋外子機１ａ内のアンテナ部３４を経由して無線送受信部２３に送信される。ワイヤレス子機８のＩＤコードについては、予めワイヤレス子機８内のＩＤコード設定部２５にて設定可能であり、設定されるとＣＰＵ２４に記憶される。
【００２５】
ワイヤレス子機８内のマイク２６が拾った声等の音声信号は、マイクアンプ２７で増幅され、音声通話制御回路部３０を経由して、音声変復調部３１にて変調され、無線送受信部３２及びワイヤレス子機８内のアンテナ部３５を経て送信される。ワイヤレス子機８から送信された音声信号は、図２を参照して上述したとおり、屋外子機１ａ内のアンテナ部３４及び無線送受信部２３に供給され、更に、屋外子機１ａ内のアンテナ部３４から送信されて、室内親機５内のスピーカ回路に供給される。このように、ドアホンシステムにおいて、内部に屋外子機１ａと無線通信可能な無線送受信部３２を内蔵するワイヤレス子機８を保有し、屋外子機１ａ内にもワイヤレス子機８と無線通信可能な無線送受信部２３を内蔵させ、両機間を無線通信することにより、屋外子機１ａの呼び出しボタン２を押さなくても、室内親機５を呼び出すことができる。また、ワイヤレス子機８と屋外子機１ａの無線送受信部３２，２３間で無線通信を行うのであるが、この際に屋外子機１ａ側の音声変復調部２２とワイヤレス子機８側の音声変復調部３１によって双方向で音声信号を変調・復調することができるようにしているので、従来の室内親機５・屋外子機１ｂ間の双方向通話と同じ動作ができるようになり、ワイヤレス子機８と室内親機５との双方向通話が可能になる。
【００２６】
室内親機５からの変調された音声信号は、屋外子機１ａの無線送受信部２３及び屋外子機１ａ内のアンテナ部３４を経由し、ワイヤレス子機８内のアンテナ３５及び無線送受信部３２を経て、ワイヤレス子機８内の音声変復調部３１に供給される。室内親機５からの音声信号はここで復調され、音声通話制御回路部３０を経てスピーカアンプ２９に送られ、スピーカアンプ２９で増幅された後、ワイヤレス子機８のスピーカ２８に供給される。
【００２７】
ワイヤレス子機８の電源は電池電源３３とし、呼び出しボタン９を押すことにより、ワイヤレス子機８は電源供給され、通話が終了したときに再度呼び出しボタン９を押すことにより、ＣＰＵ２４はこれを検知し、電源供給を停止する。このように、ワイヤレス子機８は、呼び出しボタン９を押して始めて内部の電池電源３３により電源供給され、室内親機５との通話が終了したときに再度呼び出しボタン９を押すことで電池電源３３からの電源供給を停止するようにすれば、電力消費を押さえ節電を行うことができる。ワイヤレス子機８は、電池駆動であるため、可搬型の機器とできるので、外出時でも用意に携帯することができる。
【００２８】
また、ワイヤレス子機８の呼び出しボタン９を押さなくても、定期的に屋外子機１ａに無線通信を行う第２モード（以後、「自動通信モード」と呼ぶ）をワイヤレス子機８に備えても良い。自動通信モードは、前述の呼び出しボタン９を押すことにより屋外子機１ａと無線通信を行う第１モード（以後手動通信モードと呼ぶ）と異なり、定期的（例えば５分毎）に屋外子機１ａとの通信（室内親機５を呼び出す動作）を行う。このとき、室内親機５からの応答があれば、会話を行うことができる。このような構成にすれば、例えば、ワイヤレス子機８の使用者が自動車運転中である場合に、手動通信モードであれば運転中に呼び出しボタン９を押すような行為は危険であるが、自動通信モードであれば、呼び出しボタン９を押す必要がないため、危険性が減る。あるいは、両手に荷物を持っている場合、呼び出しボタン９を押すためには、荷物を降ろす必要があるが、自動通信モードであれば、ボタン９を押す必要がなく便利である。
【００２９】
自動通信モードと手動通信モードとは、例えば、切り替えスイッチなどによりモード選択できるようにすることができる。また、自動通信モードにおいて、室内親機５との応答が行われた場合には、応答終了後（会話が終了）した後に、自動通信モードから手動通信モードへと自動的にモード変更する構成としてもよい。このようにすれば、自動的に何度も室内親機５を呼び出すことがなくなるので、電池電源３３の消費を抑えることができ、節電することができる。また、ワイヤレス子機８が室内親機５の呼び出し動作を定期的に行うと記載したが、この呼び出し動作間隔をユーザーが変更できるようにしてもよい。
【００３０】
本ドアホンシステムを家庭用として適用した場合には、家に到着する前に本ドアホンシステムを用いて家人に帰宅を知らせることにより、玄関での待ち時間を短くし、家に入れるまでの時間を短縮できる。また、車で帰宅したとき、雨が降っている場合に傘を持っていなくても、車庫に入る前に家人に連絡すれば、家人に玄関の施錠の解除だけでなく、傘の用意もしてもらうことができ、便利である。更に、事前連絡だけならば携帯電話でもできるが、携帯電話だけの情報では実際に家に到着したかどうか不明であり、且つ電話料金もかかる。また、家人が早く玄関の施錠解除してしまうとセキュリティ上問題がある。本発明によれば、通信費用も低減でき、セキュリティ上も有利である。なお、本ドアホンシステムは事業用に用いることもできることは明らかである。また、室内親機は、基本的には従来と同じものが使用でき、室内親機の開発負担を抑えることができる。
【００３１】
以上のように、本実施例であるドアホンシステムにおいて、屋外子機以外の移動することも可能なワイヤレス子機を備えることで、屋外子機を経由してワイヤレス子機と室内親機との間で通信を可能とすることができる。なお、実施の態様として、具体的な例を挙げて説明したが、本発明の範囲を逸脱しない範囲において様々に変形した形態で実施することができることは明らかである。例えば、携帯電話にブルートゥース等が搭載されてくると、電話回線経由ではなく無線間の短距離通信としても使用が可能となり、携帯電話にワイヤレス子機としての機能を持たせることができる。そうすれば、専用のワイヤレス子機を持ち歩かなくても、カメラ機能を備えているものも含めて広く一般に普及している携帯電話をワイヤレス子機として用いることができる。
【図面の簡単な説明】
【００３２】
【図１】本発明のドアホンシステムの構成図である。
【図２】本発明のドアホンシステムの屋外子機のブロック図である。
【図３】本発明のドアホンシステムのワイヤレス子機のブロック図である。
【図４】従来のドアホンシステムの構成図である。
【図５】従来のドアホンシステムの屋外子機のブロック図である。
【符号の説明】
【００３３】
１ａ  屋外子機
１ｂ  屋外子機（従来）
２  屋外子機の呼び出しボタン
３  屋外子機レンズ部
４  インターホン線
５  室内親機
６  室内親機のＬＣＤ表示画面
７  室内親機の応答ボタン
８  ワイヤレス子機
９  ワイヤレス子機の呼び出しボタン
１０  屋外子機撮像部
１１  屋外子機カメラ信号処理部
１２  屋外子機映像変調部
１３  屋外子機マイク
１４  屋外子機マイクアンプ
１５  屋外子機スピーカ
１６  屋外子機スピーカアンプ
１７  屋外子機の音声通話制御回路部
１８  屋外子機の多重化回路部
１９  屋外子機の電源部
２０  屋外子機内のＩＤコード設定部
２１  屋外子機内のＣＰＵ
２２  屋外子機内の音声変復調部
２３  屋外子機内の無線送受信部
２４  ワイヤレス子機内のＣＰＵ
２５  ワイヤレス子機内のＩＤコード設定部
２６  ワイヤレス子機内のマイク
２７  ワイヤレス子機内のマイクアンプ
２８  ワイヤレス子機内のスピーカ
２９  ワイヤレス子機内のスピーカアンプ
３０  ワイヤレス子機内の音声通話制御回路部
３１  ワイヤレス子機内の音声変復調部
３２  ワイヤレス子機内の無線送受信部
３３  ワイヤレス子機内の電池電源
３４  屋外子機内のアンテナ部
３５  ワイヤレス子機内のアンテナ部
【図１】
2006115187.tif 000003
【図２】
2006115187.tif 000004
【図３】
2006115187.tif 000005
【図４】
2006115187.tif 000006
【図５】
2006115187.tif 000007